【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
休眠解除データ列を送信する第１の情報処理装置と、
休眠状態において前記休眠解除データ列を受信した場合、前記休眠状態を解除する第２の情報処理装置と
で構成される情報処理システムにおいて、
前記第１の情報処理装置は、
前記休眠解除データ列を生成する休眠解除データ列生成手段と、
前記休眠解除データ列生成手段により生成された前記休眠解除データ列を、所定のネットワークを介して、前記第２の情報処理装置に送信する送信手段と
を備え、
前記休眠解除データ列生成手段により生成された前記休眠解除データ列は、ｎが２以上の所定の整数である場合において、所定バイトのデータがｎ回繰り返されて構成されるデータを複数含んで構成され、
前記第２の情報処理装置は、
前記所定のネットワークを介して、前記第１の情報処理装置から送信された前記休眠解除データ列を受信する受信手段と、
プロトコルスタックの物理層とデータリンク層の間のデータをパラレル通信で授受する第１のインターフェース手段と、
前記受信手段により受信され、前記第１のインターフェース手段を介して供給された前記休眠解除データ列を検出する検出手段と
を備え、
前記第１のインターフェース手段は、前記データリンク層から前記物理層に供給されるデータ列を、所定バイトごとに、２以上の所定の整数であるｎレーンに分配し、
前記検出手段は、ｎレーン分のレーン検出手段を備え、
前記レーン検出手段は、前記第１のインターフェース手段により分配されたｎレーンのうちの１レーンのデータ列の供給を受け、供給されたデータ列が、前記所定バイトの繰り返されないデータにより構成される前記休眠解除データ列の１／ｎのデータ長のデータ列と合致するか否かを検出し、ｎレーン分のレーン検出手段において、供給されたデータ列が、前記休眠解除データ列の１／ｎのデータ長のデータ列と合致した場合、前記休眠解除データ列が検出されたと判断する
情報処理システム。
【請求項２】
前記第１の情報処理装置は、
プロトコルスタックの前記物理層と前記データリンク層の間のデータをパラレル通信で授受する第２のインターフェース手段を更に備え、
前記第２のインターフェース手段は、前記データリンク層から前記物理層に供給されるｎレーンのデータ列を前記物理層に適合するデータ形式に変換し、
前記送信手段は、前記インターフェース手段を介して、前記休眠解除データ列生成手段により生成された前記休眠解除データ列の供給を受け、所定のネットワークを介して、前記第２の情報処理装置に送信する
請求項１に記載の情報処理システム。
【請求項３】
前記第２の情報処理装置は、前記検出手段により前記休眠解除データ列が検出された場合、前記休眠状態を解除する休眠状態解除手段を更に備える
請求項１に記載の情報処理システム。
【請求項４】
前記休眠解除データ列は、ａ，ｂ，ｃ、ｄのそれぞれが１以上の所定の整数である場合において、第１の所定バイトのデータがｎ×ａ回繰り返された前置データ、ｄ種類の第２の所定バイトのデータがそれぞれｎ回繰り返されたものが、更に、ｂ回繰り返されて構成される主データ、および、第３の所定バイトのデータがｎ×ｃ回繰り返された後置データにより構成される
請求項１に記載の情報処理システム。
【請求項５】
前記所定のネットワークは、10GbitのEthernet（登録商標）である
請求項１に記載の情報処理システム。
【請求項６】
前記第１のインターフェース手段は、XGMII(10 Gigabit Media Independent Interface)の規格に基づいて、データを授受する
請求項１に記載の情報処理システム。
【請求項７】
前記所定のネットワークを介して、他の情報処理装置から送信された休眠解除データ列を受信する受信手段と、
プロトコルスタックの物理層とデータリンク層の間のデータをパラレル通信で授受するインターフェース手段と、
前記受信手段により受信され、前記インターフェース手段を介して供給された前記休眠解除データ列を検出する検出手段と
を備え、
前記受信手段により受信される前記休眠解除データ列は、ｎが２以上の所定の整数である場合において、所定バイトのデータがｎ回繰り返されて構成されるデータを含んで構成され、
前記インターフェース手段は、前記データリンク層から前記物理層に供給されるデータ列を、所定バイトごとに、２以上の所定の整数であるｎレーンに分配し、
前記検出手段は、ｎレーン分のレーン検出手段を備え、
前記レーン検出手段は、前記インターフェース手段により分配されたｎレーンのうちの１レーンのデータ列の供給を受け、供給されたデータ列が、前記所定バイトの繰り返されないデータにより構成される前記休眠解除データ列の１／ｎのデータ長のデータ列と合致するか否かを検出し、ｎレーン分のレーン検出手段において、供給されたデータ列が、前記休眠解除データ列の１／ｎのデータ長のデータ列と合致した場合、前記休眠解除データ列が検出されたと判断する
情報処理装置。
【請求項８】
前記検出手段により前記休眠解除データ列が検出された場合、休眠状態を解除する休眠状態解除手段を更に備える
請求項７に記載の情報処理装置。
【請求項９】
前記休眠解除データ列は、ａ，ｂ，ｃ、ｄのそれぞれが１以上の所定の整数である場合において、第１の所定バイトのデータがｎ×ａ回繰り返された前置データ、ｄ種類の第２の所定バイトのデータがそれぞれｎ回繰り返されたものが、更に、ｂ回繰り返されて構成される主データ、および、第３の所定バイトのデータがｎ×ｃ回繰り返された後置データにより構成される
請求項７に記載の情報処理装置。
【請求項１０】
前記所定のネットワークは、10GbitのEthernet（登録商標）である
請求項７に記載の情報処理装置。
【請求項１１】
前記インターフェース手段は、XGMII(10 Gigabit Media Independent Interface)の規格に基づいて、データを授受する
請求項７に記載の情報処理装置。
【請求項１２】
休眠状態において休眠解除データ列を受信した場合、休眠状態を解除する情報処理装置の情報処理方法において、
前記所定のネットワークを介して、他の情報処理装置から送信されたデータ列を受信する受信ステップと、
前記受信ステップの処理により受信された前記データ列を、プロトコルスタックの物理層とデータリンク層の間のデータをパラレル通信で授受するインターフェースを介して転送する転送ステップと、
前記転送ステップの処理により転送された前記データ列が前記休眠解除データ列であるか否かを検出する検出ステップと、
前記検出ステップの処理により前記データ列が前記休眠解除データ列であることが検出された場合、休眠状態を解除する解除ステップと
を含み、
前記受信ステップの処理により受信される前記休眠解除データ列は、ｎが２以上の所定の整数である場合において、所定バイトのデータがｎ回繰り返されて構成されるデータを複数含んで構成され、
前記転送ステップの処理では、前記データリンク層から前記物理層に供給されるデータ列を、所定バイトごとに、２以上の所定の整数であるｎレーンに分配し、
前記検出ステップの処理では、前記転送ステップの処理により分配されたｎレーンのうちの１レーンのデータ列が、前記所定バイトの繰り返されないデータにより構成される前記休眠解除データ列の１／ｎのデータ長のデータ列と合致するか否かを検出し、供給されたデータ列が、前記休眠解除データ列の１／ｎのデータ長のデータ列と合致した場合、前記休眠解除データ列が検出されたと判断する
情報処理方法。
【請求項１３】
休眠状態において休眠解除データ列を受信した場合、休眠状態を解除する処理をコンピュータに実行させるためのプログラムであって、
前記所定のネットワークを介して、他の情報処理装置から送信されたデータ列の受信を制御する受信制御ステップと、
前記受信制御ステップの処理により受信が制御された前記データ列を、プロトコルスタックの物理層とデータリンク層の間のデータをパラレル通信で授受するインターフェースを介して転送する処理を制御する転送制御ステップと、
前記転送制御ステップの処理により転送が制御された前記データ列が前記休眠解除データ列であるか否かを検出する検出ステップと、
前記検出ステップの処理により前記データ列が前記休眠解除データ列であることが検出された場合、休眠状態を解除する解除ステップと
を含み、
前記受信制御ステップの処理により受信が制御される前記休眠解除データ列は、ｎが２以上の所定の整数である場合において、所定バイトのデータがｎ回繰り返されて構成されるデータを複数含んで構成され、
前記転送制御ステップの処理では、前記データリンク層から前記物理層に供給されるデータ列を、所定バイトごとに、２以上の所定の整数であるｎレーンに分配するように転送を制御し、
前記検出ステップの処理では、前記転送制御ステップの処理により分配されたｎレーンのうちの１レーンのデータ列が、前記所定バイトの繰り返されないデータにより構成される前記休眠解除データ列の１／ｎのデータ長のデータ列と合致するか否かを検出し、供給されたデータ列が、前記休眠解除データ列の１／ｎのデータ長のデータ列と合致した場合、前記休眠解除データ列が検出されたと判断する
処理をコンピュータに実行させるプログラム。
【請求項１４】
請求項１３に記載のプログラムが記録されている記録媒体。
【請求項１５】
休眠解除データ列を生成する休眠解除データ列生成手段と、
前記休眠解除データ列生成手段により生成された前記休眠解除データ列を、所定のネットワークを介して、他の情報処理装置に送信する送信手段と
を備え、
前記休眠解除データ列生成手段により生成された前記休眠解除データ列は、ｎが２以上の所定の整数である場合において、所定バイトのデータがｎ回繰り返されて構成されるデータを複数含んで構成される
情報処理装置。
【請求項１６】
プロトコルスタックの前記物理層と前記データリンク層の間のデータをパラレル通信で授受するインターフェース手段を更に備え、
前記インターフェース手段は、前記データリンク層から前記物理層に供給されるｎレーンのデータ列を前記物理層に適合するデータ形式に変換し、
前記送信手段は、前記インターフェース手段を介して、前記休眠解除データ列生成手段により生成された前記休眠解除データ列の供給を受け、所定のネットワークを介して、前記休眠解除データ列を前記他の情報処理装置に送信する
請求項１５記載の情報処理装置。
【請求項１７】
前記休眠解除データ列は、ａ，ｂ，ｃ、ｄのそれぞれが１以上の所定の整数である場合において、第１の所定バイトのデータがｎ×ａ回繰り返された前置データ、ｄ種類の第２の所定バイトのデータがそれぞれｎ回繰り返されたものが、更に、ｂ回繰り返されて構成される主データ、および、第３の所定バイトのデータがｎ×ｃ回繰り返された後置データにより構成される
請求項１５に記載の情報処理装置。
【請求項１８】
休眠解除データ列を送信する情報処理装置の情報処理方法において、
前記休眠解除データ列を生成する休眠解除データ列生成ステップと、
前記休眠解除データ列生成ステップの処理により生成された前記休眠解除データ列を、所定のネットワークを介して、他の情報処理装置に送信する送信ステップと
を含み、
前記休眠解除データ列生成ステップの処理により生成された前記休眠解除データ列は、ｎが２以上の所定の整数である場合において、所定バイトのデータがｎ回繰り返されて構成されるデータを複数含んで構成される
情報処理方法。
【請求項１９】
休眠解除データ列を送信する処理をコンピュータに実行させるプログラムであって、
前記休眠解除データ列を生成する休眠解除データ列生成ステップと、
前記休眠解除データ列生成ステップの処理により生成された前記休眠解除データ列を、所定のネットワークを介して、他の情報処理装置に送信する処理を制御する送信制御ステップと
を含み、
前記休眠解除データ列生成ステップの処理により生成された前記休眠解除データ列は、ｎが２以上の所定の整数である場合において、所定バイトのデータがｎ回繰り返されて構成されるデータを複数含んで構成される
処理をコンピュータに実行させるプログラム。
【請求項２０】
請求項２１に記載のプログラムが記録されている記録媒体。
【手続補正２】
【補正対象書類名】明細書
【補正対象項目名】００３０
【補正方法】削除
【補正の内容】
【手続補正３】
【補正対象書類名】明細書
【補正対象項目名】００３２
【補正方法】削除
【補正の内容】